(57)【特許請求の範囲】
【請求項１】
所定の発光体が内部に収容される照明装置用カバーにおいて、
照明長さ若しくは幅を小さくする状態にカットすることのできる本体と、当該本体のカット領域に着脱自在なエンド部材とを含み、
前記本体は、前記発光体の出し入れを許容する開放部が正面側に形成された固定部材と、当該固定部材に着脱自在に設けられるとともに前記開放部を閉塞可能な閉塞部材とにより構成され、
前記エンド部材は、前記固定部材のカット領域を略隠蔽可能な本体キャップと、この本体キャップに着脱自在に設けられるとともに前記閉塞部材のカット領域を略隠蔽可能なエンドピースとを備え、
前記閉塞部材を前記エンドピースとともに取り外すことで前記発光体を出し入れ可能とされていることを特徴とする照明装置用カバー。
【請求項２】
前記閉塞部材は、板材によって平面視略長方形状に形成されており、その長辺の長さが前記固定部材の左右幅よりもやや短くなっている一方、その短辺の長さが前記開放部の開放幅よりもやや長く構成され、
前記閉塞部材は、前記固定部材に掛け渡された状態で装着可能となることを特徴とする請求項１記載の照明装置用カバー。
【請求項３】
前記エンドピースは、前記本体キャップに形成された切欠部に装着されるとともに、装着時においては、前面が前記本体キャップの表面と略面一に連続するように配置されることを特徴とする請求項１又は２記載の照明装置用カバー。
【発明の詳細な説明】
【０００１】
【発明の属する技術分野】
本発明は、照明装置用カバーに係り、更に詳しくは、左右幅が可変となる化粧鏡ユニットや洗面化粧台等に付設することに適した照明装置用カバーに関する。
【０００２】
【従来の技術】
洗面所や化粧室等に設置される化粧鏡ユニットとしては、例えば、特開平９−２０１２３８号公報に開示されるように、種々の設置幅に対応可能となる左右幅可変タイプが知られており、この化粧鏡ユニットの上部には、照明装置が取り付けられるようになっている。当該照明装置は、直管状の蛍光管及びその点灯回路と、それらを覆う照明カバーと、この照明カバーの左右両端側に着脱自在に取り付けられるカバー蓋とを備えて構成されており、化粧鏡ユニットの左右幅に応じて照明カバーをカットすることにより、照明装置の照明長さすなわち左右幅を調整できるようになっている。
【０００３】
【発明が解決しようとする課題】
しかしながら、前記化粧鏡ユニットにあっては、カバー蓋が照明カバー端縁側に突き合わされた状態で取り付けられ、照明カバーのカット領域が表出するようになっている。従って、例えば、化粧鏡ユニットを設置する際に、その設置幅に合わせて現場で照明カバーをカットしたときに、そのカット面形状がカバー蓋の突き合せ端部の形状に合わないと、照明カバーをカバー蓋に取り付けたときに、それらの突き合せ端部間に隙間が生じ、当該隙間から湿気や埃等が照明カバー内部に入り易くなる他、照明カバーの取付時における外観上の体裁を損ねるという問題がある。このため、化粧鏡ユニットの設置現場で照明カバーをカットする場合には、そのカット面形状をカバー蓋の突き合せ端部に略ぴったりと合う形状にしなければならず、これが、照明装置の取り付け作業を煩雑にさせる他、完成精度がばらつくという不都合を招来する。
【０００４】
【発明の目的】
本発明は、このような不都合に着目して案出されたものであり、その目的は、簡単な作業で照明装置の照明長さ若しくは幅を調整することができる照明装置用カバーを提供することにある。
【０００５】
【課題を解決するための手段】
前記目的を達成するため、本発明は、所定の発光体が内部に収容される照明装置用カバーにおいて、
照明長さ若しくは幅を小さくする状態にカットすることのできる本体と、当該本体のカット領域に着脱自在なエンド部材とを含み、
前記本体は、前記発光体の出し入れを許容する開放部が正面側に形成された固定部材と、当該固定部材に着脱自在に設けられるとともに前記開放部を閉塞可能な閉塞部材とにより構成され、
前記エンド部材は、前記固定部材のカット領域を略隠蔽可能な本体キャップと、この本体キャップに着脱自在に設けられるとともに前記閉塞部材のカット領域を略隠蔽可能なエンドピースとを備え、
前記閉塞部材を前記エンドピースとともに取り外すことで前記発光体を出し入れ可能とされる、という構成を採っている。このような構成によれば、照明装置の設置現場等で、照明長さ若しくは幅を小さくするように本体をカットしたときに、そのカット領域に微小な凹凸が生じてしまった場合であっても、エンド部材を本体に装着した状態では、カット領域が隠蔽されることになる。これによって、当該カット領域から照明装置用カバーの内部への湿気や埃等の進入を抑制することができる他、エンド部材及び本体の境界部分における仕上げ精度を高精度に保つことができる。従って、照明装置の設置現場等で、本体のカット作業を厳密に行う必要がなくなり、照明装置の照明長さ若しくは幅を簡単に調整することができる。また、本体全体を取り外すことなく発光体の交換が可能となる他、開放部が正面側に形成されているため、発光体の交換を無理のない位置で簡単に行うことができる。更に、閉塞部材をエンドピースとともに本体キャップ側から取り外しすることができ、閉塞部材の着脱作業を更に簡単に行うことができる他、閉塞部材のカット領域がエンドピースで略隠蔽された状態で閉塞部材が取り外されるため、前記カット領域を多少鋭利な形状とした場合でも、より安全な状態で発光体の交換を行うことができる。
【０００７】
【発明の実施の形態】
本発明において、前記閉塞部材は、板材によって平面視略長方形状に形成されており、その長辺の長さが前記固定部材の左右幅よりもやや短くなっている一方、その短辺の長さが前記開放部の開放幅よりもやや長く構成され、
前記閉塞部材は、前記固定部材に掛け渡された状態で装着可能となる、という構成を採ることが好ましい。
また、前記エンドピースは、前記本体キャップに形成された切欠部に装着されるとともに、装着時においては、前面が前記本体キャップの表面と略面一に連続するように配置される、という構成を併用するとよい。
【０００８】
なお、本明細書において、「手前」、「奥行」、「前」、「後」、「左」、「右」等の位置若しくは方向を示す用語は、特に明示しない限り、化粧鏡ユニット若しくは洗面化粧台等に取り付けられた照明装置用カバーを正面側から見た状態すなわち図２の状態を基準として用いることとする。
【０００９】
【実施例】
以下、本発明の実施例について図面を参照しながら説明する。
【００１０】
図１には、本実施例に係る照明装置用カバーが取り付けられた状態の概略斜視図が示され、図２には、前記照明装置用カバーの概略正面図が示されている。また、図３には、図２のＡ−Ａ線矢視拡大断面図が示され、図４には、図２の分解図が示されている。これらの図において、照明装置用カバー１０は、洗面所や化粧室に設置される化粧鏡ユニット或いは洗面化粧台等のユニット体Ｕに取り付けられ、発光体を構成する直管状の蛍光管Ｂ並びにその電気回路部Ｅ（図３参照）等が内部に収容されるようになっている。この照明装置用カバー１０は、その照明長さすなわち左右幅を小さくする状態にカットすることのできる樹脂製の本体１２と、本体１２の左右両端側に着脱自在な樹脂製のエンド部材１３，１３とを備えて構成されている。
【００１１】
本体１２は、蛍光管Ｂに沿って延びる中空形状をなすとともに、樹脂材料を用いた二分割構造に設けられている。すなわち、本体１２は、蛍光管Ｂの出し入れを許容する開放部１５が正面側に形成された固定部材１７と、この固定部材１７の内部に着脱自在に設けられるとともに、開放部１５を閉塞可能な閉塞部材１８とを備えている。
【００１２】
前記固定部材１７は、左右方向両端側が開放する形状をなしており、前記ユニット体Ｕの取付面Ｆに沿って左右方向に延びる後壁２０と、この後壁２０の上端側から前方略水平方向に延びる頂壁２１と、この頂壁２１の前端側から後方に向かって下向きに延びる上側傾斜部２３と、後壁２０の下端側から前方に延びて頂壁２１と略平行に位置し、且つ、頂壁２１の前後幅よりも短寸とされた底壁２５と、この底壁２５の前端側から上側傾斜部２３の下端側に向かって上向きに延びる下側傾斜部２７とにより構成されている。上側傾斜部２３及び下側傾斜部２７の先端間には、左右方向に沿う隙間が形成されており、当該隙間が前記開放部１５となっている。また、下側傾斜部２７の内側には、蛍光管Ｂに沿って延びるストッパ片２９が設けられている。当該ストッパ片２９は、固定部材１７の内部に装着された閉塞部材１８の下端側に係止可能に設けられ、傾斜姿勢で装着される閉塞部材１８を一定位置に保持できるようになっている。
【００１３】
前記閉塞部材１８は、特に限定されるものではないが、透光性を有する板材によって平面視略長方形状に形成されており、その長辺１８Ａの長さが固定部材１７の左右幅よりもやや短くなっている一方、その短辺１８Ｂの長さが開放部１５の開放幅（上下幅）よりもやや長くなっている。このため、閉塞部材１８は、開放部１５を跨いだ状態、すなわち、上側傾斜部２３及び下側傾斜部２７の内面先端側間に掛け渡された状態で固定部材１７に装着可能となる。
【００１４】
前記エンド部材１３は、図５にも示されるように、本体１２の外周部分に嵌合可能となる略有底皿状をなし、本体１２に装着されたときに、当該本体１２の左右両端側を隠蔽できるようになっている。このエンド部材１３は、前記固定部材１７の端部領域を略隠蔽可能な本体キャップ３１と、この本体キャップ３１に着脱自在に設けられるとともに、前記閉塞部材１８の左右両端領域を略隠蔽可能なエンドピース３２とを備えている。
【００１５】
本体キャップ３１は、前記本体１２の左右両端部分の外形と略同一の外形形状をなすベース３４と、このベース３４の外周に沿って起立する起立片３５とによって構成されている。起立片３５は、その一部領域すなわち前記開放部１５の端部相当領域に切欠部３５Ａが形成されており、この切欠部３５Ａにエンドピース３２が装着されるようになっている。
【００１６】
エンドピース３２は、略長片状若しくは直方体状をなし、略直線状に延びる溝部３７が略中央に形成された溝形成面３９と、この溝形成面３９の反対側となる側端面４０と、これら溝形成面３９及び側端面４０の短寸幅方向両端側に位置する前面４１及び後面４２と、これら各面３９〜４２の長寸幅方向両端側に位置する上端面４３及び下端面４４とを備えて構成されている。前記溝部３７は、上下端面４３，４４間に達するように形成される一方、閉塞部材１８の左右両端側を略ぴったりと受容できる程度の溝幅を備えている。また、エンドピース３２は、溝形成面３９が図５中上側となるカバー内側に位置する向きで本体キャップ３１に装着されるようになっており、当該装着時においては、特に限定されるものではないが、前面４１が前記起立片３５の表面３５Ｂに略面一に連続するように配置されるとともに、溝形成面３９が起立片３５の起立高さに略一致するようになっている。
【００１７】
次に、照明装置用カバー１０の施工手順について説明する。
【００１８】
先ず、前記ユニット体Ｕの取付面Ｆの左右幅に応じて、固定部材１７及び閉塞部材１８における左右両側の端部のうち何れか一方或いは両方をカットする。本実施例では、図４に示されるように、固定部材１７及び閉塞部材１８の図中右側の端部をカットしてカット領域Ｃを形成する。そして、固定部材１７の左右両端側に本体キャップ３１を嵌め込んで固定し、固定部材１７のカット領域Ｃを略隠蔽した状態で固定部材１７をユニット体Ｕに固定する。これと前後して、閉塞部材１８の左右両端側に外側からエンドピース３２を嵌め込んで固定し、閉塞部材１８のカット領域Ｃを略隠蔽する。この状態で、閉塞部材１８の上部が下部よりも前方となるように当該閉塞部材１８を斜めに傾けながら固定部材１７の開放部１５に挿入して固定部材１７に装着する。すなわち、図６（Ａ）に示されるように、エンドピース３２が装着された閉塞部材１８を前後方向に傾けた状態で開放部１５から固定部材１７の内部に挿入し、閉塞部材１８を持ち上げながら回転させ、その下端縁をストッパ片２９に係止させることに閉塞部材１８が装着される。一方、蛍光管Ｂの交換時等における閉塞部材１８の取り外しは、図６（Ｂ）に示されるように、閉塞部材１８を奥行側に押し込んで、当該閉塞部材１８とストッパ片２９との係止状態を解除し、閉塞部材１８を若干回転してその上端縁を開放部１５より手前に突出させた状態で、閉塞部材１８を開放部１５から抜き出すことにより行われる。
【００１９】
従って、このような実施例によれば、固定部材１７及び閉塞部材１８からなる本体１２のカット領域Ｃが本体キャップ３１及びエンドピース３２からなるエンド部材１３によって隠蔽されるため、ユニット体Ｕの設置現場等で照明装置用カバー１０の照明長さを短くする際に前記カット領域Ｃの加工を厳密に行わなくてもよく、従って、本体１２の簡単なカット作業で、照明装置用カバー１０の照明長さを調整することができるという効果を得る。
【００２０】
なお、本発明におけるエンド部材は、前記実施例の構成に限らず、照明長さ若しくは幅を小さくするようにカットされる本体１２のカット領域に着脱自在に設けられ、当該カット領域を隠蔽できる限りにおいて種々の構成を採用することができる。
【００２１】
また、前記実施例では、蛍光管Ｂに適用される照明装置用カバーについて説明したが、本発明はこれに限らず、例えば、白熱電球等の他の発光体に適用することもできる。
【００２２】
【発明の効果】
以上説明したように、本発明によれば、本体のカット領域に隠蔽可能な着脱自在のエンド部材を備えたから、カット領域をきれいに加工しなくても、照明装置用カバーの内部への湿気や埃の進入を抑制することができ、これによって、簡単な作業で照明装置の照明長さ若しくは幅を調整することができる他、照明装置用カバーの仕上げ精度を高性能に保つことができる。
【００２３】
また、本体を分割構造に設け、少なくとも一部を取り外すことで発光体を出し入れ可能に設けたから、本体からエンド部材を取り外さずに発光体の交換が可能となる。
【００２４】
更に、前記本体を、前記発光体の出し入れを許容する開放部が正面側に形成された固定部材と、当該固定部材に着脱自在に設けられるとともに前記開放部を閉塞可能な閉塞部材とにより構成したから、発光体の交換をより簡単に行うことができる。
【００２５】
また、前記エンド部材を、前記固定部材のカット領域を略隠蔽可能な本体キャップと、この本体キャップに着脱自在に設けられるとともに、前記閉塞部材のカット領域を略隠蔽可能なエンドピースとを備えたから、発光体をより安全に且つ簡単に交換することができる。
【図面の簡単な説明】
【図１】  本実施例における照明装置用カバーの概略斜視図。
【図２】  前記照明装置用カバーの拡大正面図。
【図３】  図２のＡ−Ａ線矢視拡大断面図。
【図４】  図２の分解図。
【図５】  エンド部材の概略分解斜視図。
【図６】  （Ａ）は、閉塞部材の取り付け動作を説明するための図３と同様の断面図であり、（Ｂ）は、閉塞部材の取り外し動作を説明するための図３と同様の断面図である。
【符号の説明】
１０・・・照明装置用カバー、１２・・・本体、１３・・・エンド部材、１５・・・開放部、１７・・・固定部材、１８・・・閉塞部材、３１・・・本体キャップ、３２・・・エンドピース、Ｂ・・・蛍光管（発光体）、Ｃ・・・カット領域
【図１】
0003730536.tif 000002
【図２】
0003730536.tif 000003
【図３】
0003730536.tif 000004
【図４】
0003730536.tif 000005
【図５】
0003730536.tif 000006
【図６】
0003730536.tif 000007